【事件の表示】
　特願２０１５−９８９６０号「遊技機」拒絶査定不服審判事件〔平成２７年９月１０日出願公開、特開２０１５−１６３２６０号〕について、次のとおり審決する。
【結　論】
　本件審判の請求は、成り立たない。
【理　由】
第１　手続の経緯  
　本願は、平成２３年２月２５日にされた特許出願（特願２０１１−４０９４９号）の一部を平成２７年５月１４日に新たな特許出願（特願２０１５−９８９６０号）としたものであって（優先権主張：平成２２年４月８日）、平成２８年６月２日付けの拒絶理由通知に対し、同年８月５日に意見書及び手続補正書が提出され、平成２９年１月６日付けの最後の拒絶理由通知に対し、同年３月１７日に意見書及び手続補正書が提出されたところ、同年７月２５日付けで同年３月１７日付け手続補正を却下するとともに、拒絶査定（以下、「原査定」という。）がなされ、これに対して、同年１１月１日に拒絶査定不服審判の請求がなされると同時に手続補正がなされたものであり、さらに、当審からの平成３０年９月１９日付けの拒絶理由通知に対し、同年１１月２６日に意見書及び手続補正書が提出されたものである。 
第２　本願発明 
　本願の請求項１に係る発明（以下、「本願発明」という。）は、平成３０年１１月２６日に提出された手続補正書により補正された特許請求の範囲の請求項１に記載された事項により特定される、以下のとおりのものである。
（Ａ〜Ｈは本願発明の構成を分説するため当審で付した。）
「【請求項１】
Ａ　発光することで遊技に関する報知を行う発光素子と、
Ｂ　当該発光素子を発光させる駆動手段と、
Ｃ　予め定められた特定周期で実行される定期処理にて所定の駆動データを更新する駆動データ更新手段と、
Ｄ　前記駆動データに基づいて、遊技の状況に応じて前記駆動手段に対して予め定められた駆動信号を出力する駆動信号出力手段と、
Ｅ　前記駆動信号が前記特定周期よりも長い所定の期間だけ出力されていることに基づいて、前記発光素子が発光するように前記駆動手段を制御する駆動制御手段と、
を備え、
Ｆ　前記駆動信号出力手段は、前記発光素子を発光させる期間よりも長い期間継続して前記駆動信号を出力可能であって、当該駆動信号の出力を前記発光を停止させるべきタイミングに合わせて停止するものであり、
Ｇ　前記駆動信号出力手段からの前記駆動信号の出力が停止された場合に、前記発光を停止させる停止処理が実行されること
Ｈ　を特徴とする遊技機。」  
第３　拒絶の理由 
　平成３０年９月１９日に当審が通知した拒絶理由の概略は、次のとおりである。
　本願発明は、本願の優先権主張の日（以下、「優先日」という。）前に日本国内又は外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。 
  
 　　　　　　　　　　　　　　　記 
  
刊行物１：特開２００１−１７７１３号公報
（以下、「引用文献１」という。） 
刊行物２：特開２００７−４４２２２号公報
（以下、「引用文献２」という。） 
刊行物３：特開平３−２７５７９号公報
（以下、「引用文献３」という。） 
周知例：特開平１−１３２２１４号公報
（以下、「引用文献４」という。）
周知例：実願昭５８−１５４５３３号（実開昭６０−６１６１２号）のマイクロフィルム（以下、「引用文献５」という。）
　なお、刊行物３は、上記拒絶理由においては、周知技術を示す文献としても引用されている。
第４　引用文献
１　引用文献１の記載及び引用発明
　引用文献１には、図面とともに次の事項が記載されている（下線は当審で付した。）。  
  
　ア　「【００２０】上記したターミナルボックス基板５５、遊技制御回路基板５６、賞球払出制御回路基板５７、枠制御回路基板６１相互の配線関係は、図３に示すようになっている。図３は、
パチンコ遊技機１
【００２１】また、
枠制御回路基板６１には
コネクタ２に遊技制御回路基板５６から導出される各種の遊技状態に応じた遊技態様信号が入力される信号線が接続され
コネクタ７には、ＬＥＤ１２を駆動する表示信号が出力される信号線が接続され
　イ　「【００２６】以上説明した枠制御回路基板６１に形成される枠制御回路について図６乃至図９を参照して説明する。図６は、枠制御回路基板６１に形成される枠制御回路のブロック図であり、図７は、枠制御回路の一部を構成する入力信号回路９６の詳細な回路図であり、図８は、枠制御回路の一部を構成する装飾信号回路９７の詳細な回路図であり、図９は、枠制御回路の一部を構成するウォッチドッグ回路９９の詳細な回路図である。図において、
枠制御回路は、制御中枢としてのＭＰＵ９０を有し、該ＭＰＵ９０には、
ＬＥＤ駆動回路９８
がそれぞれ接続されている
ＭＰＵ９０は、ＲＯＭ９０ａを内蔵しており、このＲＯＭ９０ａ内に
ＬＥＤ９，１０，１２，２０，２７，１９を駆動表示する表示データプログラムが
複数個格納されており、外部からの入力信号に応じて所定のデータプログラムが１つ選択されて、そのプログラムにしたがって
ＬＥＤが表示駆動されるものである
　ウ　【図６】
　エ　「【００３６】上記した「Ａ」「Ｂ」「Ｃ」の遊技内容を有するパチンコ遊技機においては、相互に類似する遊技状態を出現させるので、機種が相違してもこの類似する遊技状態において同じ信号を遊技制御回路基板から枠制御回路基板６１に送ることにより、同じ態様で枠部材に設けられる
報知用機器を駆動する
通常時においては信号線Ｄ０〜Ｄ３に「００００」の４ビットの信号を送り
リーチ時（３列の図柄列において最後の図柄列が変動している状態で先に停止した２つの図柄列の組合せが当りと同一の組合せである状態）に「００１０」を送り
可変入賞球装置の開放時には、「０１１１」を送り
【００３７】上記した
４ビットの信号が遊技制御回路基板５６から枠制御回路基板６１に送られてきたときには、枠制御回路基板６１のＭＰＵ９０は、ＲＯＭ９０ａ内に記憶された複数の
表示データの中から４ビット信号の種類に対応する
表示データを選択して各報知用機器に出力する
リーチ時信号「００１０」が送られてきたときには、約１０秒間表示駆動信号が出力され
可変入賞球装置開放時信号「０１１１」が送られてきたときには、約１５秒間表示駆動信号が出力され
【００３８】例えば、
リーチ時における信号「００１０」が送られてきたときには、ＭＰＵ９０は、ＲＯＭ９０ａ内に記憶される複数の表示データの中から図１３に示すような表示データに基づいてＬＥＤ１２
を表示駆動する
ＬＥＤ１〜９は、多数のＬＥＤ１２を図１０に示すように９種類に分類したときの種類番号であり
表中の「０」は消灯を示し、「１」は、点灯を示している
リーチ時において、例えばＬＥＤ１は、Ｔ１（例えば、５秒）時間／１周期において「００１００１００１」という消灯・点灯パターンで表示駆動され
可変入賞球装置開放時信号「０１１１」が送られてきたときには、ＭＰＵ９０は、ＲＯＭ９０ａ内に記憶された図１３に示すＴ２時間（例えば、３秒）／１周期の消灯・点灯パターンデータに基づいてＬＥＤ１２
を表示駆動する
可変入賞球装置開放時には、Ｔ２時間周期のパターンを５回繰り返す
　オ　【図１３】
　カ　上記ア、イ及びエの記載事項並びに上記ウ及びオの図示内容から、以下の認定事項が導かれる。  
  
（ア）上記ア【００２１】には、「枠制御回路基板６１」の「コネクタ２に遊技制御回路基板５６から導出される各種の遊技状態に応じた遊技態様信号が入力される信号線が接続され」、「コネクタ７には、ＬＥＤ１２を駆動する表示信号が出力される信号線が接続され」ることが記載されている。
　上記エ【００３７】より、引用文献１には、「４ビットの信号が遊技制御回路基板５６から枠制御回路基板６１に送られてきたとき」、「枠制御回路基板６１のＭＰＵ９０」は「各遊技状態に対応する」「表示データを選択して各報知用機器に出力する」ことが記載されているといえる。
　そうすると、引用文献１には、
「遊技制御回路基板５６から導出される各種の遊技状態に応じた４ビットの遊技態様信号が枠制御回路基板６１に入力されると、各遊技状態に対応して表示駆動される、枠制御回路基板６１に接続された報知用機器であるＬＥＤ１２」が記載されているといえる。
（イ）上記ア【００２１】には、「枠制御回路基板６１」の「コネクタ７には、ＬＥＤ１２を駆動する表示信号が出力される信号線が接続され」ることが記載されている。
　上記イ【００２６】には、「枠制御回路」の「ＭＰＵ９０」には「ＬＥＤ駆動回路９８」が「接続」されることが記載されている。
　そうすると、引用文献１には、「枠制御回路基板６１のＭＰＵ９０に接続され、ＬＥＤ１２を駆動するＬＥＤ駆動回路９８」が記載されているといえる。
（ウ）上記イ【００２６】には、「ＭＰＵ９０」に「内蔵」された「ＲＯＭ９０ａ内に」「ＬＥＤ９，１０，１２，２０，２７，１９を駆動表示する表示データプログラム」が「複数個格納されており、外部からの入力信号に応じて所定のデータプログラムが１つ選択されて、そのプログラムにしたがって」、「ＬＥＤが表示駆動される」ことが記載されている。
　上記エ【００３６】には、「通常時においては信号線Ｄ０〜Ｄ３に「００００」の４ビットの信号を送り」、「リーチ時...に「００１０」を送り」、「可変入賞球装置の開放時には、「０１１１」を送」ることが記載されている。　
　上記エ【００３７】には、「４ビットの信号が遊技制御回路基板５６から枠制御回路基板６１に送られてきたとき」、「枠制御回路基板６１のＭＰＵ９０は、ＲＯＭ９０ａ内に記憶された複数の...表示データの中から４ビット信号の種類に対応する...表示データを選択して各報知用機器に出力する」と記載されている。
　上記エ【００３７】には、「リーチ時信号「００１０」が送られてきたときには、約１０秒間表示駆動信号が出力され」、「可変入賞球装置開放時信号「０１１１」が送られてきたときには、約１５秒間表示駆動信号が出力され」ることが記載されている。
　上記エ【００３８】には、「リーチ時における信号「００１０」が送られてきたときには、ＭＰＵ９０は、ＲＯＭ９０ａ内に記憶される複数の表示データの中から図１３に示すような表示データに基づいてＬＥＤ１２...を表示駆動する」、「リーチ時において」、「Ｔ１（例えば、５秒）時間／１周期において「００１００１００１」という消灯・点灯パターンで表示駆動され」、「Ｔ１時間周期のパターンを２回繰り返」すことが記載されている。
　上記エ【００３８】には、「可変入賞球装置開放時信号「０１１１」が送られてきたときには、ＭＰＵ９０は、ＲＯＭ９０ａ内に記憶された図１３に示すＴ２時間（例えば、３秒）／１周期の消灯・点灯パターンデータに基づいてＬＥＤ１２...を表示駆動」し、「Ｔ２時間周期のパターンを５回繰り返す」ことが記載されている。
　上記オ【図１３】の図示内容から、「遊技状態」が「可変入賞口開放時」（４ビット信号「０１１１」）の場合には、「Ｔ２時間」を１周期とした「１０１０１０１０」の消灯・点灯パターンデータに基づいてＬＥＤ１２が表示駆動されることが読み取れる。
　そうすると、引用文献１には、
「遊技制御回路基板５６から枠制御回路基板６１に送られる４ビットの信号は、通常時には「００００」、リーチ時には「００１０」、可変入賞球装置の開放時には「０１１１」であり、
上記枠制御回路基板６１のＭＰＵ９０は、ＲＯＭ９０ａ内に記憶された複数の表示データの中から上記４ビットの信号の種類に対応する表示データを表示データプログラムにしたがって選択し、
上記ＭＰＵ９０は、ＬＥＤ駆動回路９８に対して、
リーチ時の場合は、Ｔ１時間（５秒）を１周期とした「００１００１００１」の消灯・点灯パターンデータ（「０」は消灯、「１」は点灯を示している）を２回繰り返して約１０秒間、表示駆動信号として出力し、
可変入賞球装置の開放時の場合は、Ｔ２時間（３秒）を１周期とした「１０１０１０１０」の消灯・点灯パターンデータ（「０」は消灯、「１」は点灯を示している）を５回繰り返して約１５秒間、表示駆動信号として出力すること」が記載されているといえる。
（エ）上記アの【００２０】には、「パチンコ遊技機１」が記載されている。
　キ　上記（ア）〜（エ）の認定事項を総合すれば、引用文献１には、以下の発明（以下、「引用発明」という。）が記載されていると認められる。
（ａ〜ｈは引用発明の構成を分説するため当審で付した。）  
［引用発明］  
「ａ　遊技制御回路基板５６から導出される各種の遊技状態に応じた４ビットの遊技態様信号が枠制御回路基板６１に入力されると、各遊技状態に対応して表示駆動される、枠制御回路基板６１に接続された報知用機器であるＬＥＤ１２と、
ｂ　上記枠制御回路基板６１のＭＰＵ９０に接続され、上記ＬＥＤ１２を駆動するＬＥＤ駆動回路９８と、
を備え、
ｄ、ｅ　上記４ビットの遊技態様信号は、通常時には「００００」、リーチ時には「００１０」、可変入賞球装置の開放時には「０１１１」であり、
上記ＭＰＵ９０は、ＲＯＭ９０ａ内に記憶された複数の表示データの中から上記４ビットの遊技態様信号の種類に対応する表示データを表示データプログラムにしたがって選択し、
上記ＭＰＵ９０は、上記ＬＥＤ駆動回路９８に対して、
リーチ時の場合は、Ｔ１時間（５秒）を１周期とした「００１００１００１」の消灯・点灯パターンデータ（「０」は消灯、「１」は点灯を示している）を２回繰り返して約１０秒間、表示駆動信号として出力し、
可変入賞球装置の開放時の場合は、Ｔ２時間（３秒）を１周期とした「１０１０１０１０」の消灯・点灯パターンデータ（「０」は消灯、「１」は点灯を示している）を５回繰り返して約１５秒間、表示駆動信号として出力する、
ｈ　パチンコ遊技機１。」
２　引用文献２の記載
　引用文献２には、図面とともに次の事項が記載されている（下線は当審で付した。）。
　ア　「［３−２―１（ａ）．演算処理部］
【００６１】
　
演算処理部１１１ａｃは
シリアル送信部１１１ａｔにシリアル出力するデータ（後述する駆動データＤＡＴ）を作成してセットする
　イ　「［３−２−１（ｂ）．シリアル送信部］
【００６２】
　
シリアル送信部１１１ａｔは
演算処理部１１１ａｃから受け取ったデータを駆動データＤＡＴとして
ランプ駆動基板１１２にシリアル出力する
この駆動データＤＡＴは、演出ランプ４４ａ〜４４ｄをＯＮ（点灯）する演出ランプ用ＯＮ／ＯＦＦデータ
から構成されている
駆動データＤＡＴは２ミリ秒（ｍｓ）の定時間タイマ割込処理時間ごとに更新されている
この定時間タイマ割込処理時間内に駆動データは、
シリアル送信部１１１ａｔからランプ駆動基板１１２にシリアル出力される
　ウ　「［３−２−２．ランプ駆動基板］
【００６５】
　
ランプ駆動基板１１２は
サブ統合基板１１１からシリアル出力された駆動データＤＡＴのうち、演出ランプ用ＯＮ／ＯＦＦデータを取り込むシフトレジスタ１１２ｈ，１１２ｉと、
を備えている
　エ　「［３−２−２（ａ）．シフトレジスタ］
【００６６】
　
シフトレジスタ１１２ｈ，１１２ｉは
サブ統合基板１１１からシリアル出力された駆動データＤＡＴのうち演出ランプ用ＯＮ／ＯＦＦデータを取り込む
取り込んだ演出ランプ用ＯＮ／ＯＦＦデータであるシリアルデータをパラレルデータに変換し、パラレル信号を駆動信号として演出ランプ４４ａ〜４４ｄにそれぞれ出力する。演出ランプ４４ａ〜４４ｄは、この駆動信号に応じてそれぞれ点灯する
　オ　上記ア〜エの記載事項を総合すれば、引用文献２には、以下の技術事項（以下、「引用文献２記載事項」という。）が記載されていると認められる。
［引用文献２記載事項］
「サブ統合基板１１１の演算処理部１１１ａｃは、シリアル送信部１１１ａｔにシリアル出力するデータを作成してセットし、（ア【００６１】）
サブ統合基板１１１のシリアル送信部１１１ａｔは、演算処理部１１１ａｃから受け取ったデータを演出ランプ４４ａ〜４４ｄをＯＮ（点灯）する演出ランプ用ＯＮ／ＯＦＦデータを含む駆動データＤＡＴとして、ランプ駆動基板１１２にシリアル出力し、（イ【００６２】）
ランプ駆動基板１１２のシフトレジスタ１１２ｈ，１１２ｉは、駆動データＤＡＴのうち演出ランプ用ＯＮ／ＯＦＦデータを取り込み、取り込んだシリアルデータをパラレルデータに変換して駆動信号として演出ランプ４４ａ〜４４ｄにそれぞれ出力し、（ウ【００６５】、エ【００６６】）
演出ランプ４４ａ〜４４ｄは、この駆動信号に応じてそれぞれ点灯する、
（エ【００６６】）
遊技機において、
上記駆動データＤＡＴは、２ミリ秒（ｍｓ）の定時間タイマ割込処理時間ごとに更新され、（イ【００６２】）
上記定時間タイマ割込処理時間内に駆動データＤＡＴはシリアル送信部１１１ａｔからランプ駆動基板１１２にシリアル出力されるようにしたこと。（イ【００６２】）」
第５　対比  
　本願発明と引用発明とを対比する。 
　なお、見出しは（ａ）〜（ｈ）とし、引用発明の分説に対応させている。
（ａ）引用発明の「ＬＥＤ１２」は、発光素子であり、「各遊技状態に対応して表示駆動される」「報知用機器」であるところ、発光することで遊技状態に応じた遊技に関する報知を行うものであるといえるから、本願発明の「発光することで遊技に関する報知を行う発光素子」に相当する。
　したがって、引用発明の構成ａは、本願発明の構成Ａに相当する。 
（ｂ）引用発明の「ＬＥＤ駆動回路９８」は、「上記ＬＥＤ１２を駆動」して発光させるものであるから、引用発明の「ＬＥＤ駆動回路９８」は、本願発明の「当該発光素子を発光させる駆動手段」に相当する。
　したがって、引用発明の構成ｂは、本願発明の構成Ｂに相当する。
（ｄ）引用発明の「４ビットの遊技態様信号」は、構成ａより「ＬＥＤ１２」を「表示駆動」するための信号であって、「通常時には「００００」、リーチ時には「００１０」、可変入賞球装置の開放時には「０１１１」であり」、「通常時」、「リーチ時」、「可変入賞球装置の開放時」などの遊技の状況に応じて信号の種類を異ならせているから、引用発明の「４ビットの遊技態様信号の種類に対応する表示データ」は、本願発明の「駆動データ」に相当する。
　また、引用発明の「表示駆動信号」は、「リーチ時の場合は、Ｔ１時間（５秒）を１周期とした「００１００１００１」の消灯・点灯パターンデータ（「０」は消灯、「１」は点灯を示している）を２回繰り返して約１０秒間」出力され、「可変入賞球装置の開放時の場合は、Ｔ２時間（３秒）を１周期とした「１０１０１０１０」の消灯・点灯パターンデータ（「０」は消灯、「１」は点灯を示している）を５回繰り返して約１５秒間」出力されるものであるところ、これらの消灯・点灯パターンは、消灯を示す「０」に対応する消灯駆動信号（以下、「「０」信号」という。）、点灯を示す「１」に対応する点灯駆動信号（以下、「「１」信号」という。）が時系列に連なっているものと見ることができるから、引用発明の「表示駆動信号」の構成要素である「０」信号及び「１」信号は、本願発明の「駆動信号」に相当する。
　さらに、引用発明では、遊技の状況が「リーチ時」であるか「可変入賞球装置の開放時」であるかに応じて異なるように定められた信号パターンを、異なる周期で異なる時間分、「表示駆動信号」として出力するものであるから、引用発明においても、本願発明と同様に、駆動データ（４ビットの遊技態様信号の種類に対応する表示データ）に基づいて、遊技の状況に応じて（リーチ時、可変入賞球装置の開放時）、予め定められた駆動信号（「０」信号、「１」信号）を出力しているといえる。
　そして、引用発明の「４ビットの遊技態様信号の種類に対応する表示データ」は、「ＭＰＵ９０」が「選択」するものであり、引用発明の「表示駆動信号」（「０」信号、「１」信号を含む）は、「ＭＰＵ９０」が「ＬＥＤ駆動回路９８に対して」「出力」するものであるから、引用発明の「ＭＰＵ９０」は、本願発明の「前記駆動データに基づいて、遊技の状況に応じて前記駆動手段に対して予め定められた駆動信号を出力する駆動信号出力手段」としての機能を有するものである。
　したがって、引用発明の構成ｄは、本願発明の構成Ｄに相当する。
（ｅ）引用発明の「表示駆動信号」の構成要素である「０」信号及び「１」信号の時間幅について、リーチ時の場合は、その消灯・点灯パターンデータは「００１００１００１」であり、「０」信号及び「１」信号の個数は９個あり、１周期Ｔ１＝５秒であるから、１個の信号当たり０．５５５秒（５秒／９個）の時間幅を有すると見積もることができ、可変入賞球装置の開放時の場合は、消灯・点灯パターンデータは「１０１０１０１０」であり、「０」信号及び「１」信号の個数は８個あり、１周期Ｔ２＝３秒であるから、１個の信号当たり０．３７５秒（３秒／８信号）の時間幅を有すると見積もることができ、いずれにしても概ね数百ミリ秒であるといえる。
　そうすると、引用発明では、「表示駆動信号」の構成要素である「１」信号は、点灯駆動信号として概ね数百ミリ秒の期間だけ出力されており、それに基づいて「ＬＥＤ１２」が発光しているといえる。
　そして、引用発明の「表示駆動信号」（「０」信号、「１」信号を含む）は、「ＭＰＵ９０」が「ＬＥＤ駆動回路９８に対して」「出力」するものであるから、引用発明の「ＭＰＵ９０」は、「１」信号が所定の期間（概ね数百ミリ秒）だけ出力されていることに基づいて、発光素子（ＬＥＤ１２）が発光するように駆動手段（ＬＥＤ駆動回路９８）を制御する駆動制御手段としての機能を有するものであるといえる。
　したがって、本願発明の構成Ｅと引用発明の構成ｅとは、「前記駆動信号が所定の期間だけ出力されていることに基づいて、前記発光素子が発光するように前記駆動手段を制御する駆動制御手段」を備える点で共通する。
（ｈ）引用発明の構成ｈである「パチンコ遊技機１。」は、本願発明の構成Ｈである「遊技機。」に相当する。
　したがって、本願発明と引用発明とは、
「Ａ　発光することで遊技に関する報知を行う発光素子と、
Ｂ　当該発光素子を発光させる駆動手段と、
Ｄ　前記駆動データに基づいて、遊技の状況に応じて前記駆動手段に対して予め定められた駆動信号を出力する駆動信号出力手段と、
Ｅ’　前記駆動信号が所定の期間だけ出力されていることに基づいて、前記発光素子が発光するように前記駆動手段を制御する駆動制御手段と、
を備えた、
Ｈ　遊技機。」
である点で一致し、以下の相違点１〜４で相違する。
［相違点１］
　本願発明は、「予め定められた特定周期で実行される定期処理にて所定の駆動データを更新する駆動データ更新手段」（構成Ｃ）を備えるのに対して、引用発明はそのような構成を備えるものであるか明らかではない点。
［相違点２］
　「前記駆動信号が所定の期間だけ出力されていることに基づいて、前記発光素子が発光するように前記駆動手段を制御する駆動制御手段」に関し、本願発明は、「前記駆動信号が前記特定周期よりも長い所定の期間だけ出力されている」（構成Ｅ）と特定しているのに対して、引用発明は、そのような特定がされていない点。
［相違点３］
　本願発明は、「前記駆動信号出力手段は、前記発光素子を発光させる期間よりも長い期間継続して前記駆動信号を出力可能であって、当該駆動信号の出力を前記発光を停止させるべきタイミングに合わせて停止するもの」（構成Ｆ）であるのに対して、引用発明は、そのような構成を備えていない点。
［相違点４］
　本願発明は、「前記駆動信号出力手段からの前記駆動信号の出力が停止された場合に、前記発光を停止させる停止処理が実行される」（構成Ｇ）のに対して、引用発明は、そのような構成を備えていない点。
第６　判断
　上記相違点１〜４について検討する。
１　相違点１及び２について
　上記相違点１及び２は、「特定周期」において関連しているので、以下ではまとめて検討する。
　引用文献２記載事項の「駆動データＤＡＴ」は、「演出ランプ４４ａ〜４４ｄをＯＮ（点灯）する演出ランプ用ＯＮ／ＯＦＦデータを含む」ものであるから、本願発明の「所定の駆動データ」に相当する。
　また、引用文献２記載事項の「駆動データＤＡＴ」は、「２ミリ秒（ｍｓ）の定時間タイマ割込処理時間ごとに更新され」、「上記定時間タイマ割込処理時間内」に「ランプ駆動基板１１２」に出力されるところ、この「２ミリ秒（ｍｓ）の定時間タイマ割込処理時間」は、本願発明の「予め定められた特定周期」に相当し、「定時間タイマ割込処理」は、本願発明の「定期処理」に相当するから、引用文献２記載事項の「上記駆動データＤＡＴは、２ミリ秒（ｍｓ）の定時間タイマ割込処理時間ごとに更新され」ることは、本願発明の「予め定められた特定周期で実行される定期処理にて所定の駆動データを更新する」ことに相当する。
　そして、引用文献２記載事項の「駆動データＤＡＴ」の「更新」は、「サブ統合基板１１１」において行われており、この「サブ統合基板１１１」は、本願発明の「駆動データ更新手段」に相当する。
　ここで、引用発明と上記引用文献２記載事項とは、遊技機が備える発光素子の発光駆動に関する技術であるという点で共通しており、引用発明の「パチンコ遊技機１」においても、明示はされていないものの技術常識からみて、「枠制御回路基板６１」において所定の周期で割込処理を実行しているか、メイン処理により直接実行しているかのいずれであるから、上記引用文献２記載事項の「駆動データＤＡＴは、２ミリ秒（ｍｓ）の定時間タイマ割込処理時間ごとに更新され」ることを引用発明に適用して、「４ビットの遊技態様信号の種類に対応する表示データ」の更新を割込処理により実行し、当該割込処理により駆動データを更新するように構成することに格別の困難性はない。
　その際、上記「第５　対比」の（ｅ）において検討したとおり、引用発明の「表示駆動信号」の構成要素である「０」信号及び「１」信号の時間幅は概ね数百ミリ秒であるから、数ミリ秒という割込処理の周期と比べて「長い期間」、駆動信号が出力されていることになるのは明らかである。
　したがって、上記引用文献２記載事項を引用発明に適用して、上記相違点１に係る本願発明の構成Ｃとすること、及び、上記相違点２に係る本願発明の構成Ｅとすることは、当業者が容易になし得たことである。
２　相違点３及び４について
　上記相違点３及び４は、いずれも、駆動信号の出力停止と発光素子の発光停止との関係を含むという点において関連しているので、以下ではまとめて検討する。
　まず、上記相違点３に係る本願発明の構成Ｆは、「前記駆動信号出力手段は、前記発光素子を発光させる期間よりも長い期間継続して前記駆動信号を出力可能であって、当該駆動信号の出力を前記発光を停止させるべきタイミングに合わせて停止するもの」であり、これは、駆動信号の出力期間を発光素子の発光期間よりも長くするという要件を、駆動信号の出力停止タイミングと発光素子の発光停止タイミングとを合わせるという条件の下で満たすことを規定したものと解することができる。
　かかる条件の下で上記要件を満たすためには、駆動信号の出力開始タイミングよりも発光素子の発光開始タイミングを遅らせる必要があるから、結局、上記構成Ｆは、駆動信号の出力開始タイミングよりも発光素子の発光開始タイミングを遅らせ、かつ、駆動信号の出力停止タイミングと発光素子の発光停止タイミングとを合わせることを規定したものに他ならない。
　そして、開始タイミングと停止タイミングは、それぞれ信号波形の立ち上がり時点と立ち下がり時点として別個に分けることが可能であり、互いに影響することなく設定可能なものであるから、以下に示すように、駆動信号と発光の開始タイミング、及び、駆動信号と発光の停止タイミングに分けて検討を行う。
　駆動信号と発光の開始タイミングについて、ノイズ吸収回路（積分回路）などの時定数回路を用いて、発光素子の発光開始タイミングを駆動信号の出力開始タイミングよりも所定時間遅延させることにより、外部からのノイズを吸収してその影響を除去することは、例えば、上記引用文献４及び５に記載されているように本願優先日前に周知である。
（例えば、上記引用文献４の「２．特許請求の範囲」、第１頁右下欄第３〜５行、第２頁左上欄第９行〜右上欄第１２行、第２頁左下欄第８行〜右下欄第３行、第２図、第３図には、外部機器の接点（４）が第３図（ａ）に示すように時刻ｔ１にてオフ状態からオン状態に変化して、外部入力信号がインターフェース装置（１）に入力された場合、ＬＥＤ駆動回路（９）に入力される入力電圧ＶＢは、第３図（ｃ）に示すように、抵抗（７）及びコンデンサ（８）によって決まる時定数で５［Ｖ］から０［Ｖ］に向かって緩やかに変化し、入力電圧ＶＢが閾値Ｖｔｈに下がった時刻ｔ２において、ＬＥＤ駆動回路（９）の出力ＶＣは、第３図（ｄ）に示すように５［Ｖ］から０［Ｖ］にステップ状に変化して、ＬＥＤの点灯を時刻ｔ１よりも遅延させて時刻ｔ２にて行うことにより、外部からのパルス状のノイズが入力された場合でも、このノイズの内部制御回路への入力を防ぐことが記載されており、
　上記引用文献５の第２頁第６〜１０行、第４頁第５行〜第５頁第５行、第５頁第１６行〜第６頁第４行、第８頁第１２行〜第９頁第１行、第４図、第６図（ａ）、（ｂ）、（ｃ）には、スイッチ手段１１からのコード信号が、抵抗Ｒ３及びコンデンサＣで決められる時定数を有する積分回路（遅延回路）１３によって積分され、さらに波形整形回路１４で波形整形され、デコーダ１５、１６を介してデイジタル表示器１７、１８に供給されるポジションコーダにおいて、第６図（ａ）に示されている不正規信号Ｓ２は、正規信号Ｓ１と共に積分回路１３によって積分され（第６図（ｂ）の波形）、さらに波形整形回路１４で波形整形されることにより（第６図（ｃ）の波形）、ノイズの影響が除去されてディジタル表示器１７、１８に供給されることが記載されており、第６図の（ａ）と（ｃ）に示された波形を比較すると、第６図（ａ）の不正規信号Ｓ２の立ち上がり時点よりも、第６図（ｃ）の整形波形の立ち上がり時点は遅延していることが読み取れる。）
（以下、「周知技術１」という。）
　また、駆動信号と発光の停止タイミングについて、駆動信号の出力を停止するタイミングと発光素子の発光を停止するタイミングを合わせることにより、適切なタイミングで発光を停止させ遊技者に誤解を与えないようにすることは、上記引用文献３の他にも例えば、特開２０１０−１５８８３号公報、特開２００５−２６９０５１号公報、特開２００７−８８２１０号公報及び特開２００５−２１１４１９号公報などに記載されているように本願優先日前に周知であり、これらの周知例では、いずれも、駆動信号の出力が停止された場合に、発光素子の発光を停止させる停止処理を実行している。
（上記引用文献３の第４頁左上欄第８〜１１行、第４頁右下欄第６行〜第５頁左上欄第４行、第１〜３図には、発光ダイオード２と並列に接続されたトランジスタ１３を有し、消光時に立下り時間短縮回路６のトランジスタ１３をオン動作させることにより、発光ダイオード２が瞬時に消光し光パルス出力の立下り時間が大幅に短縮される発光ダイオード駆動回路が記載されており、発光ダイオード２の駆動を停止するタイミングと発光ダイオード２の発光を停止するタイミングを合わせているといえる。そして、「消光時に立下り時間短縮回路６のトランジスタ１３をオン動作させること」が「停止処理」に相当する。
　特開２０１０−１５８８３号公報の段落【００４７】〜【００５８】、【図１】、【図３】には、端子１１に入力される点灯制御信号Ｖｃｏｎの電圧がハイレベルからローレベルへ変化すると、入力スイッチ回路４のＦＥＴＱ４はオフし、出力スイッチ回路５のＦＥＴＱ５はオンし、昇圧回路７の出力電流Ｉ０が急速に減少するとともに、ＬＥＤ群１０１の駆動電流がただちに失われ、ＬＥＤ群１０１はただちに消灯することが記載されており、特に、【図３】の図示内容から、点灯制御信号Ｖｃｏｎがハイレベルからローレベルになる時点Ｔｅにおいて、出力電流Ｉ０も０になっていることが読み取れるから、駆動信号の出力を停止するタイミングとＬＥＤ群１０１の発光を停止するタイミングをＴｅに合わせているといえる。そして、「入力スイッチ回路４のＦＥＴＱ４はオフし、出力スイッチ回路５のＦＥＴＱ５はオン」することが「停止処理」に相当する。
　特開２００５−２６９０５１号公報の段落【００１６】〜【００１７】、【図１】、【図２】には、発光ダイオードＤ１への電流をオン・オフするドライバであるＰＮＰトランジスタＴｒ１の駆動電圧Ｖｉ１がＶｏｎからＶｃｃに変化したときに、トランジスタＴｒ１がオフし、発光ダイオードＤ１がオフして消灯する際に、ＮＰＮトランジスタＴｒ２をオンして発光ダイオードＤ１のアノードとカソード間に閉ループを構成し、発光ダイオードＤ１に蓄積された電荷を放電させることにより、発光ダイオードのオフを高速に行うことが記載されており、特に、【図２】の図示内容から、駆動電圧Ｖｉ１がＶｏｎからＶｃｃに変化したタイミングと発光ダイオードＤ１が消灯（Ｏｆｆ）するタイミングを合わせていることが読み取れる。そして、「ＮＰＮトランジスタＴｒ２をオンして発光ダイオードＤ１のアノードとカソード間に閉ループを構成し、発光ダイオードＤ１に蓄積された電荷を放電させること」が「停止処理」に相当する。
　特開２００７−８８２１０号公報の段落【００７３】〜【００７８】、【図９】〜【図１０】、【００７９】〜【００８６】、【図１１】〜【図１３】には、パチンコ遊技機において、消灯信号入力端子Ｔｉｎ２に信号が入力されると、第１の電流制御回路２０のトランジスタＴｒ３のベースに印加される電圧Ｖ８は、消灯信号入力端子Ｔｉｎ２からの信号に支配され、消灯信号入力端子Ｔｉｎ２からの信号がＨになったタイミングでＬＥＤ４は消灯することが記載されており、ＬＥＤ４の駆動を停止するタイミングとＬＥＤ４の発光を停止するタイミングを合わせているといえる。そして、「消灯信号入力端子Ｔｉｎ２に信号が入力されると、第１の電流制御回路２０のトランジスタＴｒ３のベースに印加される電圧Ｖ８は、消灯信号入力端子Ｔｉｎ２からの信号に支配され、消灯信号入力端子Ｔｉｎ２からの信号がＨ」とすることが「停止処理」に相当する。
　特開２００５−２１１４１９号公報の段落【００６６】〜【００７５】、【図６】、【図８】には、パチンコ遊技機において、パチンコ台制御部１５からの制御信号に基づいて、入力部１０５のスイッチＳＷ２のオン／オフによりＬＥＤ３２の連続発光を制御する際、スイッチＳＷ２をオフとした時点ｔ２においてＬＥＤ３２が消灯することが記載されており、ＬＥＤ３２の駆動を停止するタイミングとＬＥＤ３２の発光を停止するタイミングをｔ２に合わせているといえる。そして、「スイッチＳＷ２をオフ」することが「停止処理」に相当する。）
（以下、「周知技術２」という。）
　ここで、引用発明と上記周知技術１及び２とは、いずれも発光素子の発光駆動に関する技術である点で共通している。
　そして、ノイズによる発光素子の誤作動に伴う遊技者の混乱を防止すること、及び、適切なタイミングで発光素子の発光を停止させ遊技者に誤解を与えないようにすることは、いずれも遊技機の分野においては自明の課題である。
　そうすると、上記（１）及び（２）において検討したことを踏まえると、引用発明において、ノイズ信号による悪影響を防止するために上記周知技術１を適用して、駆動信号の出力を開始するタイミングよりもＬＥＤ１２の発光を開始するタイミングをノイズ吸収回路（積分回路）により遅延させるとともに、適切なタイミングでＬＥＤ１２の発光を停止させるために上記周知技術２を適用して、駆動信号の出力を停止するタイミングとＬＥＤ１２の発光を停止するタイミングを合わせ、ＬＥＤ１２の発光を停止させる停止処理が実行されるようにすることは、格別のことではなく、それにより、駆動信号がＬＥＤ１２を発光させる期間よりも長い期間継続して出力され、かつ、当該駆動信号の出力が発光を停止させるべきタイミングに合わせて停止され、その場合に、発光を停止させる停止処理が実行されるようになるのは明らかである。
　したがって、上記相違点３に係る本願発明の構成Ｆとすること、及び、上記相違点４に係る本願発明の構成Ｇとすることは、当業者が容易になし得たことである。
　なお、上記（２）のイで例示した周知例である特開２０１０−１５８８３号公報の【図３】には、点灯制御信号Ｖｃｏｎがハイレベルである期間（駆動信号出力期間）は、出力電流Ｉ０がハイレベルである期間（発光期間）よりも長く継続しており、かつ、点灯制御信号Ｖｃｏｎがハイレベルからローレベルになる時点Ｔｅにおいて、駆動信号の出力を停止するタイミングと発光を停止するタイミングを合わせていることが読み取れる。
　すなわち、駆動信号の出力期間を発光素子の発光期間よりも長くするという要件を、駆動信号の出力停止タイミングと発光素子の発光停止タイミングとを合わせるという条件の下で満たすような駆動信号自体は周知であって、格別のものであるとはいえない。
３　請求人の主張について
　請求人は、平成３０年１１月２６日に提出された意見書において、 
「（２）拒絶理由に対する意見
　本願の補正後の請求項１に係る発明（以下、「本願発明」という）と、引用文献１−３に記載の発明とを対比すると、本願発明が「前記駆動信号出力手段は、前記発光素子を発光させる期間よりも長い期間継続して前記駆動信号を出力可能であって、当該駆動信号の出力を前記発光を停止させるべきタイミングに合わせて停止するものであり、前記駆動信号の出力が停止された場合に、前記発光を停止させる停止処理が実行される」という特徴的構成を備えているのに対し、引用文献１−３に記載の発明がそのような構成を備えていない点で相違する（以下、
「相違点」
　時定数回路等に委ねるのみでは発光手段の消灯タイミングが不安定になり、遊技者の誤解を招く懸念があるところ、上記相違点に係る構成は、
ノイズによる誤発光の回避と適切なタイミングでの発光手段の消灯とを両立させる
新たな課題
　そして、上記相違点に係る構成では、
発光手段を発光させる期間よりも長い期間に亘って出力されるとともに、その出力が発光手段の発光を停止させるべきタイミングで停止されるという特殊な駆動信号
発光手段の発光タイミングのみが遅延され、消灯タイミングについては上記駆動信号により制御することができる
　加えて、本構成では、
発光手段を消灯させる停止処理の実行タイミングを駆動信号そのものによって制御することができる
　このように、本願発明の上記相違点に係る構成によれば、
ノイズによる誤発光を回避することと、適切なタイミングで発光手段を消灯させることとの両立
　ところが、引用文献１では、ＬＥＤの誤発光を防止するためのノイズ除去回路として整流器１０１及びフォトカプラー１０２を備えることに留まり、引用文献２には、定期処理によってＬＥＤの発光制御を行うことが記載されている程度である。また、引用文献３は、光通信に用いられる赤色ＬＥＤに関し、応答性が低いという特性を踏まえ、駆動信号のレベル変化に対するＬＥＤのオン／オフの追従性を高めたものでしかない。
　このため、拒絶理由通知書でのご指摘のように、引用文献１の駆動信号に周知技術を適用して駆動信号を遅延させる遊技機の構成を獲得し、さらにその構成に引用文献３を適用したとしても、
遅延処理後の駆動信号に対してＬＥＤが迅速に追従して消灯する構成が得られる程度
出力期間が発光手段を発光させる期間よりも長く、発光手段を消灯させるべきタイミングで出力が停止するという本願発明の特殊な駆動信号についても得ることができない
　加えて、上記各引用文献には、
本願発明の上記新たな課題について一切記載されておらず、その示唆もなされていない
　このように本願発明と引用文献１−３に記載された発明とは構成が全く相違するとともに、これらの引用文献のいずれにもその相違点を埋め合わせるだけの動機付けとなる記載が存在しない。よって、上記各引用文献に接した当業者が本願発明の上記相違点に係る構成を導出することは不可能であり、本願発明が所謂進歩性を備えないとする合理的理由がないと確信する。」
と主張している（下線は、当審で付した。）。
　しかしながら、請求人の主張における上記「相違点」については、上記２において述べたように、（１）駆動信号と発光の開始タイミング、及び、（２）駆動信号と発光の停止タイミングに分けて検討をしたところ、上記周知技術１及び上記周知技術２を引用発明に適用することにより、駆動信号の出力開始タイミングよりも発光素子の発光開始タイミングをノイズ吸収回路（積分回路）により遅らせ、かつ、駆動信号の出力停止タイミングと発光素子の発光停止タイミングとを合わせることは、当業者が容易になし得たことであって、それにより、駆動信号の出力期間を発光素子の発光期間よりも長くするという要件を、駆動信号の出力停止タイミングと発光素子の発光停止タイミングとを合わせるという条件の下で満たすことが可能となるのであるから、上記「相違点」に係る構成を得ることは当業者ならば格別の困難性はないというべきである。
　また、駆動信号の出力開始タイミングよりも発光素子の発光開始タイミングを遅延させて、発光手段を発光させる期間よりも長い期間に亘って駆動信号が出力されるとともに、その出力が発光手段の発光を停止させるべきタイミングで停止されるという駆動信号自体は、上述のとおり特開２０１０−１５８８３号公報の【図３】にも示されているように周知であるから、とりわけ特殊なものであると評することはできない。
　さらに、ノイズによる誤発光の回避と適切なタイミングでの発光手段の消灯とを両立させるという課題についても、駆動回路を用いた発光素子の発光技術において、それぞれが個別に広く知られた自明な課題であり、それら自明な課題の単なる組合せを課題として設定したにすぎないというべきであって、格別新たなものであるとはいえない。
　そして、本願発明の奏する効果についても、引用発明、上記引用文献２記載事項及び上記周知技術１〜２から当業者が予測可能な範囲内のものにすぎず、格別顕著なものということはできないから、請求人の上記主張を採用することはできない。 
第７　むすび 
　以上のとおりであるから、本願発明は、引用発明、上記引用文献２記載事項及び上記周知技術１〜２に基づいて当業者が容易に発明をすることができたものであるから、特許法第２９条第２項の規定により、特許を受けることができない。 
　したがって、本願は拒絶すべきものである。  
  
　よって、結論のとおり審決する。